(57)【要約】【課題】演奏者の指が引っ掛かかりにくい鍵盤の黒鍵を提供すること。【解決手段】黒鍵１２の黒鍵ブロック１６は、前垂れ部１６ｂおよび一対の横垂れ部１６ｃ，１６ｃを備えており、互いが滑らかに連続している。そして、この黒鍵１２に隣接する白鍵１０が押下されて最下端位置にある場合でも、黒鍵ブロック１６が木質の黒鍵材１４の前面および両側面を覆うように構成されている。したがって、演奏者の指が黒鍵１２に引っ掛かかりにくい。【選択図】図２
2004029142.tif 000002
【特許請求の範囲】
【請求項１】
断面略矩形の細長い第一の材質製の黒鍵材と、前記黒鍵材の上面の前部に取り付けられた、前記第一の材質とは異なる第二の材質製の黒鍵ブロックと
を備える鍵盤の黒鍵において、
前記黒鍵ブロックは、
前記黒鍵材の上面の前部を覆う黒鍵ブロック本体と、
該黒鍵ブロック本体に連続し、前記黒鍵材の前面を覆う前垂れ部と、
それぞれが前記黒鍵ブロック本体および前記前垂れ部に連続し、前記黒鍵材の両側面それぞれを覆う一対の横垂れ部と
を備え、
さらに、前記前垂れ部の下端および前記横垂れ部の下端は、鍵盤において隣接する鍵盤の白鍵が押下されていない位置におけるその上面よりも下方に位置するように構成されていること
を特徴とする鍵盤の黒鍵。
【請求項２】
請求項１記載の鍵盤の黒鍵において、
前記第一の材質製の黒鍵材は木質であり、且つ前記第二の材質製の黒鍵ブロックは樹脂製であることを特徴とする鍵盤の黒鍵。
【請求項３】
請求項１または２記載の鍵盤の黒鍵において、
前記黒鍵ブロック本体の外面、前記前垂れ部の外面および前記横垂れ部の外面は、互いに滑らかに連続するように構成されていることを特徴とする鍵盤の黒鍵。
【請求項４】
請求項１〜３の何れかに記載の鍵盤の黒鍵において、
前記前垂れ部の下端および前記横垂れ部の下端は、鍵盤において隣接する鍵盤の白鍵が押下された最下端位置におけるその上面よりも下方に位置するように構成されていることを特徴とする鍵盤の黒鍵。
【請求項５】
請求項１〜４の何れかに記載の鍵盤の黒鍵において、
前記前垂れ部および前記一対の横垂れ部は、鍵盤において隣接する鍵盤の白鍵が押下された最下端位置におけるその白鍵の上面よりも上方に位置する黒鍵材の前面および両側面を覆うように構成されていることを特徴とする鍵盤の黒鍵。
【発明の詳細な説明】
【０００１】
【発明の属する技術分野】
本発明は、鍵盤の黒鍵に関する。
【０００２】
【従来の技術】
断面略矩形の細長い木質の黒鍵材と、その上面の前部に取り付けられた黒鍵ブロックなどを備える鍵盤の黒鍵が知られており、例えば特開２００１−１４７６８６号公報にて開示されているものが挙げられる。このような鍵盤の黒鍵において、黒鍵ブロックは木質ではなくフェノールなどのプラスチックの成形品であり、黒鍵材の上面の前部にこれを覆うように接着されている。
【０００３】
【発明が解決しようとする課題】
しかし、黒鍵ブロックを黒鍵材に接着する際に接着位置が前後あるいは左右にずれてしまうことがある。すると、この黒鍵ブロックと黒鍵材とがずれた部分に演奏者の指が引っ掛かり、演奏者の運指に影響を及ぼすおそれがあった。なお、黒鍵の前部におけるずれの方が、黒鍵の後部におけるずれよりも演奏者の運指に影響を与えると考えられる。
【０００４】
また、上述のような黒鍵におけるずれは、木質である黒鍵材を加工した際にその幅が黒鍵ブロックの幅と相違してしまう場合にも形成される。
本発明は、このような不具合に鑑みなされたものであり、その目的とするところは、演奏者の指が引っ掛かかりにくい鍵盤の黒鍵を提供することにある。
【０００５】
【課題を解決するための手段及び発明の効果】
上記課題を解決するために、請求項１の鍵盤の黒鍵は、断面略矩形の細長い第一の材質製の黒鍵材（１４：この欄においては、発明への理解の容易化のため、必要に応じて実施の形態中で用いた符号を付すが、この符号によって請求の範囲を限定することを意味するものではない。）と、前記黒鍵材の上面の前部に取り付けられた、前記第一の材質とは異なる第二の材質製の黒鍵ブロック（１６）とを備える鍵盤（１）の黒鍵（１２）において、前記黒鍵ブロックは、前記黒鍵材の上面の前部を覆う黒鍵ブロック本体（１６ａ）と、該黒鍵ブロック本体に連続し、前記黒鍵材の前面を覆う前垂れ部（１６ｂ）と、それぞれが前記黒鍵ブロック本体および前記前垂れ部に連続し、前記黒鍵材の両側面それぞれを覆う一対の横垂れ部（１６ｃ，１６ｃ）とを備え、さらに、前記前垂れ部の下端および前記横垂れ部の下端は、鍵盤において隣接する鍵盤の白鍵（１０）が押下されていない位置におけるその上面よりも下方に位置するように構成されていることを特徴とする。
【０００６】
黒鍵材（１４）の材質と黒鍵ブロック（１６）の材質とが同一であれば、黒鍵材および黒鍵ブロックを一体に成形できるが、黒鍵材の材質と黒鍵ブロックの材質とが異なる場合（黒鍵材：第一の材質、黒鍵ブロック：第二の材質）、黒鍵ブロックは、例えば、その下面に接着剤を塗布したのちに、その下面を黒鍵材の上面の前部に合わせることで黒鍵材に取り付けられる。なお、請求項２のように、第一の材質の具体例としては木質が挙げられ、また第二の材質の具体例としては樹脂が挙げられるが、これらに限られない。その際、接着位置が前後あるいは左右にずれてしまうことや黒鍵材の幅と黒鍵ブロックの幅とが相違していることなどにより鍵盤（１）の黒鍵（１２）にずれが形成されると、演奏者の運指に影響を与えると考えられる。
【０００７】
そこで、本請求項１のように、黒鍵ブロック本体（１６ａ）、前垂れ部（１６ｂ）および一対の横垂れ部（１６ｃ，１６ｃ）が、この鍵盤の黒鍵の前部を覆うようにすれば、演奏者の指が鍵盤の黒鍵に引っ掛かかりにくい。
またこのような構成により、黒鍵ブロックを黒鍵材に取り付ける際には、前垂れ部および一対の横垂れ部に囲まれた空間に黒鍵材の前部を合わせれば、接着位置の位置決めを容易に行える。
【０００８】
なお、請求項３のように、これら黒鍵ブロック本体の外面、前垂れ部の外面および横垂れ部の外面を互いに滑らかに連続するように構成すると、演奏者の指が鍵盤の黒鍵にさらに引っ掛かかりにくくなる。
また、請求項４のように、前垂れ部の下端および横垂れ部の下端（図１中に破線にて例示）を、鍵盤において隣接する鍵盤の白鍵（１０）が押下された最下端位置におけるその上面（図１中に一点鎖線にて例示）よりも下方に位置するように構成するとよい。
【０００９】
このような構成にすれば、鍵盤の黒鍵に隣接する白鍵が押された状態においても前垂れ部の下端および横垂れ部の下端が露出せず、演奏者の指が引っ掛かりにくくなる。なお、このような構成により演奏者の指が鍵盤の黒鍵に確実に引っ掛かからなくなると考えられるが、最下端位置にある白鍵１０の上面よりもやや上方に前垂れ部の下端および横垂れ部の下端が位置しても演奏者の運指に影響を与えなければよい。
【００１０】
さらに、請求項５のように、前垂れ部および一対の横垂れ部が、鍵盤において隣接する鍵盤の白鍵が押下された最下端位置におけるその白鍵の上面よりも上方に位置する黒鍵材の前面および両側面を覆うように構成することが考えられる。このような構成にすれば、演奏時に白鍵が最下端位置まで押下された際にも、この白鍵に隣接する黒鍵の黒鍵材が、前垂れ部および一対の横垂れ部に覆われていて露出しない。したがって、黒鍵材の前面および両側面を黒色に着色する必要がない。また、製造工数および製造コストを削減できる。
【００１１】
【発明の実施の形態】
以下、本発明が適用された実施例について図面を用いて説明する。なお、本発明の実施の形態は、下記の実施例に何ら限定されることなく、本発明の技術的範囲に属する限り種々の形態を採りうることは言うまでもない。
【００１２】
図１は、実施例の鍵盤１を示す側断面図である。なお、この図１では鍵盤１を二点鎖線で図示しており、以降、鍵盤１において、演奏者が演奏する側（図１で左側）を「前部」とし、演奏者が演奏する側の反対側（図１では右側）を「後部」とする。また、図２（ａ）は鍵盤１を上方から見た説明図であり、図２（ｂ）は鍵盤１の黒鍵１２の前部を示す側面図であり、図２（ｃ）は黒鍵１２の正面図である。
【００１３】
この鍵盤１は、電子ピアノの前部に設置されるものであり、図２（ａ）に示すように、８８鍵の白鍵１０および黒鍵１２（図ではその一部を図示）を備えている。
このうち鍵盤１の各白鍵１０は、スプルスなどの比較的軽量で粘り強く弾力性に富む木質材からなり、略矩形の断面を有し、前後方向に細長く延びている。
【００１４】
また、白鍵１０は、その左右両側（または左右のいずれか片側）に黒鍵１２を配置するための段差部１０ｄを有している。
さらに、白鍵１０の上面の中央部にはプッシングクロス１０ａが接着され、これらを上下方向に貫通するようにバランスピン孔１０ｂが形成されている。そして、図１に示すように、鍵盤１の中央において左右方向に配された筬中３に立設するバランスピン（図示せず）に、このバランスピン孔１０ｂが係合することによって、白鍵１０が揺動自在に支持されている。また、白鍵１０の下面の前端部には、図２（ａ）に示すように、フロントピン孔１０ｃが形成されており、このフロントピン孔１０ｃが、立設するフロントピン（図示せず）に係合することによって、白鍵１０の左右の振れが防止される。
【００１５】
また、図１に戻り、白鍵１０の後端部の上方には、ハンマー（図示せず）および鍵スイッチ（図示せず）などが設けられている。
これらハンマーおよび鍵スイッチは、次のように構成されている。すなわち、白鍵１０の前部を押鍵したときに、白鍵１０がバランスピンを中心として揺動し、これに伴いハンマーは、白鍵１０の後端部に突き上げられることで回動する。そして、回動するハンマーが鍵スイッチを押してオンさせることにより白鍵１０の押鍵情報が検出される。そして、その検出結果に応じて、制御装置により電子楽器の発音が制御される。
【００１６】
この押鍵された白鍵１０は、鍵盤１の前部において左右方向に配されたストッパークッション５に当接する最下端位置（一点鎖線で図示）まで揺動可能である。
ところで、鍵盤１の各黒鍵１２は、図２（ｂ）に示すように、黒鍵材１４、この黒鍵材１４の上面の前部に取り付けられた黒鍵ブロック１６などを備えている。そして各黒鍵１２は、隣接し合う白鍵１０，１０の各段差部１０ｄ，１０ｄの間にそれぞれ配されている。
【００１７】
このうち黒鍵材１４は、上述の白鍵１０と同様にスプルスなどの比較的軽量で粘り強く弾力性に富む木質材からなり、略矩形の断面を有し、前後方向に細長く延びている。
また、図２（ａ）に示すように、黒鍵材１４の上面の中央部にはプッシングクロス１４ａが接着され、これらを上下方向に貫通するようにバランスピン孔１４ｂが形成されている。そして、図１に示すように、筬中３に立設するバランスピン（図示せず）に、このバランスピン孔１４ｂが係合することによって、黒鍵１２が揺動自在に支持されている。また、黒鍵材１４の下面の前端部には、図２（ａ）に示すように、フロントピン孔１４ｃが形成されており、このフロントピン孔１４ｃが、立設するフロントピン（図示せず）に係合することによって、黒鍵１２の左右の振れが防止される。
【００１８】
一方、黒鍵１２の黒鍵ブロック１６は、フェノールなどのプラスチックの成形品である。また、黒鍵ブロック１６は、図２（ｂ）および図２（ｃ）に示すように、黒鍵ブロック本体１６ａ、黒鍵ブロック本体１６ａの前部から下方に延出する前垂れ部１６ｂおよび黒鍵ブロック本体１６ａの両側それぞれから下方に延出し、それぞれが前垂れ部１６ｂと連続する一対の横垂れ部１６ｃ，１６ｃを備えている。これら黒鍵ブロック本体１６ａの外面、前垂れ部１６ｂの外面および横垂れ部１６ｃの外面は、互いに滑らかに連続している。また、一対の横垂れ部１６ｃ，１６ｃの間の距離は、黒鍵材１４の幅よりも若干広く設定されている。
【００１９】
上述の黒鍵ブロック１６を黒鍵材１４に取り付ける際には、まず、黒鍵ブロック本体１６ａの下面に接着剤を塗布し、続いてこの接着剤が塗布された黒鍵ブロック１６ａの下面を黒鍵材１４の上面の前部に合わせる。
そして、黒鍵ブロック１６は、上述のように黒鍵材１４に取り付けた場合に、前垂れ部１６ｂの下端および一対の横垂れ部１６ｃ，１６ｃの各下端（図１中に破線で図示）が、最下端位置にある白鍵１０の上面（図１中に一点鎖線で図示）よりも下方に位置するように設定されており、且つ前垂れ部１６ｂおよび一対の横垂れ部１６ｃ，１６ｃが、最下端位置にある白鍵１０の上面よりも上方に位置する黒鍵材１４の前面および両側面を覆うように設定されている。
【００２０】
さて、図１に戻り、黒鍵１２の後端部の上方には、白鍵１０の場合と同様に、ハンマー（図示せず）および鍵スイッチ（図示せず）などが設けられている。
これらハンマーおよび鍵スイッチは、次のように構成されている。すなわち、黒鍵１２の前部を押鍵したときに、黒鍵１２がバランスピンを中心として揺動し、これに伴いハンマーは、黒鍵１２の後端部に突き上げられることで回動する。そして、回動するハンマーが鍵スイッチを押してオンさせることにより黒鍵１２の押鍵情報が検出される。そして、その検出結果に応じて、制御装置により電子楽器の発音が制御される。
【００２１】
なお、鍵盤１の他の構成は公知技術に従っているので、詳細の説明は省略する。
このように、本実施例の鍵盤１においては、各黒鍵１２の黒鍵ブロック１６の外面が滑らかに構成されており、且つそれぞれの黒鍵１２に隣接する白鍵１０が最下端位置にある場合でも、その黒鍵１２の黒鍵ブロック１６が黒鍵材１４の前面および両側面を覆うように構成されているので、演奏者の指が黒鍵１２に引っ掛かかりにくい。また、黒鍵材１４の前面および両側面を黒色に着色する必要がなく、製造工数および製造コストを削減できる。
【００２２】
さらに、黒鍵ブロック１６を黒鍵材１４の上面の前部に接着する際には、前垂れ部１６ｂおよび一対の横垂れ部１６ｃ，１６ｃに囲まれた空間に黒鍵材１４の前部を合わせれば、接着位置の位置決めを容易に行える。
［別実施例］
（１）上記実施例の黒鍵ブロック１６を、図３（ａ）に示すように、一対の横垂れ部１６ｃ，１６ｃの下端同士を連結部１６ｄにて連結させた構成としてもよい。この場合、黒鍵ブロック本体１６ａ、一対の横垂れ部１６ｃ，１６ｃおよび連結部１６ｄに囲まれた空間に黒鍵材１４の前端部を差し入れれば、黒鍵１２となる。このような構成においても上記実施例と同様の作用効果を奏する。
（２）また、図３（ｂ）に示すように、黒鍵ブロック２０が、黒鍵材１４の前端部を差し込み可能な差込孔２０ａを備えるように構成してもよい。この場合、黒鍵材１４の前端部をこの差込孔２０ａに差し入れれば、黒鍵１２となる。なお、この黒鍵ブロック２０の下部には、差込孔２０ａにその前端部を差し入れられた黒鍵材１４のフロントピン孔１４ｃに連通するフロントピン孔２０ｂが設けられている。このような構成においても上記実施例と同様の作用効果を奏する。
（３）上記実施例は、電子ピアノに設けられた鍵盤１の例であるが、本発明は、アコースティックピアノなど鍵盤楽器の鍵盤に広く適用することが可能である。
【図面の簡単な説明】
【図１】実施例の鍵盤を示す側断面図であり、離鍵位置にある白鍵を実線にて図示し、押鍵された最下端位置ある白鍵を一点鎖線にて図示している。
【図２】（ａ）は実施例の鍵盤を上方から見た説明図であり、（ｂ）は実施例の黒鍵の前部を示す側面図であり、（ｃ）は実施例の黒鍵の正面図である。
【図３】（ａ）は黒鍵の別実施例（１）を示す正面図および側面図であり、（ｂ）は黒鍵の別実施例（２）を示す正面図および側面図である。
【符号の説明】
１…鍵盤、３…筬中、５…ストッパークッション、１０…白鍵、１０ａ，１４ａ…プッシングクロス、１０ｂ、１４ｂ…バランスピン孔、１０ｃ，１４ｃ，２０ｂ…フロントピン孔、１０ｄ…段差部、１２…黒鍵、１４…黒鍵材、１４ｄ…連結部、１６，２０…黒鍵ブロック、１６ａ…黒鍵ブロック本体、１６ｂ…前垂れ部、１６ｃ…横垂れ部、２０ａ…差込孔
【図１】
2004029142.tif 000003
【図２】
2004029142.tif 000004
【図３】
2004029142.tif 000005